(57)【要約】【課題】水と過熱蒸気との混合作用を活発にして、減温された蒸気の温度を不正確に測定することを防ぎ、スプレイチューブを用いて水の流入量を正確に調節し、液滴の蓄積に伴うチューブの腐食や摩耗を防いで過熱低減効率を高めることのできる過熱低減装置を提供すること。【解決手段】過熱蒸気が移動する過熱低減チューブと、過熱低減チューブの上部から下方に向かって垂直に挿通されるスプレイチューブと、を備え、過熱低減チューブは、スプレイチューブよりも下流側において、過熱蒸気を加速するためのベンチュリ部を有し、スプレイチューブは、過熱低減チューブ内に嵌まり込み、過熱低減チューブの内部に、前記過熱蒸気と混合作用を引き起こす水を噴射する噴霧手段を有し、噴霧手段は、少なくとも一つ以上のオリフィスを含む過熱低減装置。【選択図】  図２
2015190757.tif 000002
【特許請求の範囲】
【請求項１】
過熱蒸気が移動する過熱低減チューブと、
前記過熱低減チューブの上部から下方に向かって挿通されるスプレイチューブと、
を備え、
前記過熱低減チューブは、前記スプレイチューブよりも下流側において、前記過熱蒸気を加速するためのベンチュリ部を有し、
前記スプレイチューブは、前記過熱低減チューブ内に嵌まり込み、前記過熱低減チューブの内部に、前記過熱蒸気と混合作用を引き起こす水を噴射する噴霧手段を有し、
前記噴霧手段は、少なくとも一つ以上のオリフィスを含む過熱低減装置。
【請求項２】
過熱蒸気が移動する過熱低減チューブと、
前記過熱低減チューブの上部から下方に向かって挿通されるスプレイチューブと、
を備え、
前記過熱低減チューブは、前記過熱低減チューブの内部において、圧力の降下を防ぐリニアスリーブを有し、
前記スプレイチューブは、前記過熱低減チューブ内に嵌まり込み、前記過熱低減チューブの内部に、前記過熱蒸気と混合作用を引き起こす水を噴射する噴霧手段を有し、
前記噴霧手段は、少なくとも一つ以上のオリフィスを含む過熱低減装置。
【請求項３】
前記オリフィスは、複数の噴霧口を有する少なくとも一つ以上の多孔性オリフィスを含む請求項１または２に記載の過熱低減装置。
【請求項４】
前記過熱低減チューブは、
前記過熱低減チューブの蒸気流入部と前記スプレイチューブとの間の前記過熱低減チューブの内部において、渦流を形成するベーンまたは突起を有する請求項１から３のいずれか一項に記載の過熱低減装置。
【請求項５】
前記多孔性オリフィスの各々は、前記複数の噴霧口が予め定められた面積に亘って均一に分布した噴霧面を有する請求項３に記載の過熱低減装置。
【請求項６】
前記多孔性オリフィスは、前記スプレイチューブの下部に互いに上下に離間して複数設けられ、
各々の前記多孔性オリフィスの噴霧面は、互いに離間して独立した領域を形成する請求項５に記載の過熱低減装置。
【請求項７】
前記多孔性オリフィスの噴霧面は、前記スプレイチューブの円周面の平面展開図において、円形または四角形を呈する請求項５に記載の過熱低減装置。
【請求項８】
前記スプレイチューブは筒状であり、
前記複数の噴霧口は、前記スプレイチューブの円周面の下流側に放射状に配設され、
前記複数の噴霧口の穿孔方向は、前記スプレイチューブの円周の中心に向かう請求項３、５、６および７のいずれか一項に記載の過熱低減装置。
【請求項９】
前記複数の噴霧口の直径は、前記スプレイチューブの下部から上部に進むにつれて大きくなる請求項３、５、６および７のいずれか一項に記載の過熱低減装置。
【請求項１０】
前記スプレイチューブの内部に配設され、前記スプレイチューブの直径よりも小さな直径を有し、末端が開放された開閉調節チューブをさらに有し、
前記開閉調節チューブは、外周面が前記スプレイチューブの内周面と接触し、前記スプレイチューブの噴霧口と対応する複数の噴霧口を有し、
前記開閉調節チューブを回転手段によって回転させることにより、前記スプレイチューブの噴霧口の開閉度を調節する請求項３、５、６および７のいずれか一項に記載の過熱低減装置。
【請求項１１】
過熱蒸気が過熱低減装置蒸気流入部から過熱低減チューブ内に流入する蒸気流入ステップと、
前記過熱低減チューブの内部を通って前記過熱蒸気が移動する蒸気移動ステップと、
スプレイチューブの内部に水が給水される給水ステップと、
前記スプレイチューブを介して給水された水がオリフィスを介して噴射される噴霧ステップと、
前記過熱蒸気と噴射された前記水とが前記過熱低減チューブの内部において混合される混合ステップと、
蒸気排出部を介して過熱の低減された蒸気を排出する排出ステップと、
を含む過熱低減方法。
【請求項１２】
前記噴霧ステップにおける前記オリフィスは、少なくとも一つ以上の多孔性オリフィスを有する請求項１１に記載の過熱低減方法。
【請求項１３】
前記混合ステップにおいて、
前記スプレイチューブよりも下流側の前記過熱低減チューブに設けられたベンチュリ部により、前記過熱蒸気と前記多孔性オリフィスから噴射された水とが一緒に加速されて混合速度が増加する請求項１２に記載の過熱低減方法。
【請求項１４】
前記蒸気移動ステップにおいて、前記過熱蒸気は、前記蒸気流入部と前記スプレイチューブとの間であって、前記スプレイチューブの内部に形成された突起またはベーンを通過しながら渦流が形成される請求項１１から１３のいずれか一項に記載の過熱低減方法。
【発明の詳細な説明】
【技術分野】
【０００１】
本発明は、水噴霧式過熱低減装置に係り、さらに詳しくは、過熱蒸気の適正な温度を維持するために高圧の噴霧水を過熱蒸気に直接接触させて効果的に過熱蒸気の温度を低減することのできる過熱低減装置に関する。
【背景技術】
【０００２】
一般に、火力および熱併合発電用ボイラーには、タービンジェネレータに求められる高温の過熱蒸気を発生するための過熱機が設けられる。過熱蒸気の温度を所要の温度に調節するために、過熱機の途中に過熱低減機を設けて過熱蒸気の過熱度を低下することが必要である。
【０００３】
過熱低減機は、過熱蒸気の温度を落とす方法によって、表面冷却式過熱低減機と噴霧過熱低減機とに大別できる。噴霧式過熱低減機の方が、温度調節応答性が良好であり、しかも、温度調節範囲が設定し易いことから最も広く用いられている。
【０００４】
図１は、従来の水噴霧型過熱低減機を示す断面図である。
【０００５】
噴霧式過熱低減機は、高温下で高速で流動する蒸気に低温かつ高圧の水を噴霧して、噴射された水が蒸発するときに吸収する潜熱に見合う分だけ蒸気の温度は下がる。
【０００６】
従来の過熱低減機における主たる問題点は、水と過熱蒸気との混合作用が十分ではないという点である。このように噴霧水と過熱蒸気との混合が不完全である場合、位置による蒸気の減温効果に違いが出るため、過熱低減機内の減温された蒸気の正確な温度が測定し難く、これは、スプレイチューブを介して流入する水の流量の調節し難さにつながるという問題がある。
【０００７】
また、混合作用が十分ではなければ、気化の遅延による液滴に起因して部分的な摩耗やショックなどが招かれるおそれがあり、ブローダウン水撃などの問題がある。
【０００８】
さらに、非効率的な蒸気と水との相互作用に起因して混合過程が起こる管内の長さが増加して過熱低減装置が全体的に肥大化し、その結果、空間活用性が顕著に低下するという問題がある。
［先行技術文献］
［特許文献］
特許文献１：米国公開特許第２０１３−００７４７８８号公報
【発明の開示】
【発明が解決しようとする課題】
【０００９】
本発明は、上述した問題点に鑑みてなされたものであって、本発明が解決しようとする課題は、水と過熱蒸気との混合作用を活発にして、減温された蒸気の温度を不正確に測定することを防ぎ、スプレイチューブを用いて水の流入量を正確に調節し、液滴の蓄積に伴うチューブの腐食や摩耗を防いで過熱低減効率を高めることのできる水噴霧式過熱低減装置を提供することである。
【課題を解決するための手段】
【００１０】
上述した課題を解決するために、本発明の一実施形態による過熱低減装置は、過熱蒸気が移動する過熱低減チューブ３００と、過熱低減チューブ３００内への水の流入のために、過熱低減チューブ３００の上部から下方に向かって垂直に挿通されるスプレイチューブ１００と、を備える。
【００１１】
好ましくは、過熱低減チューブ３００は、スプレイチューブ１００よりも下流側の蒸気速度の加速化のためのベンチュリ部を有し、スプレイチューブ１００は、過熱低減チューブ３００内に嵌まり込んだ部分に配設されて過熱低減チューブ３００の内部に、前記過熱蒸気と混合作用を引き起こす水を噴射する噴霧手段を有し、噴霧手段は、少なくとも一つ以上のオリフィス１１０を含む。
【００１２】
また、上述した課題を解決するために、本発明の他の実施形態による過熱低減装置は、過熱蒸気が移動する過熱低減チューブ３００と、過熱低減チューブ３００内への水の流入のために、過熱低減チューブ３００の上部から下方に向かって垂直に挿通されるスプレイチューブ１００と、を備え、過熱低減チューブ３００は、内部に配設されて圧力の降下を防ぐためのリニアスリーブ２００を有し、スプレイチューブ１００は、過熱低減チューブ３００内に嵌まり込んだ部分に配設されて過熱低減チューブ３００の内部に、過熱蒸気と混合作用を引き起こす水を噴射する噴霧手段を有し、噴霧手段は、少なくとも一つ以上のオリフィス１１０を含む。
【００１３】
好ましくは、オリフィス１１０は、多数の噴霧口１２１を有する少なくとも一つ以上の多孔性オリフィス１２０を含む。
【００１４】
また、好ましくは、過熱低減チューブ３００は、過熱低減チューブ３００の蒸気流入部ｄとスプレイチューブ１００との間の内部に配設されて渦流を形成するベーン２４０または突起２５０を有する。
【００１５】
さらに、好ましくは、多孔性オリフィス１２０の各々は、多数の噴霧口１２１が所定の面積に亘って均一に分布した噴霧面を有する。
【００１６】
さらに、好ましくは、多孔性オリフィス１２０は、スプレイチューブ１００の下部に互いに上下に離間して複数設けられ、各々の多孔性オリフィス１２０の噴霧面は、互いに離間して独立した領域を形成する。
【００１７】
さらに、好ましくは、多孔性オリフィス１２０の噴霧面は、スプレイチューブ１００の円周面の平面展開図において、円形または四角形を呈する。
【００１８】
さらに、好ましくは、スプレイチューブ１００は筒状であり、スプレイチューブ１００の多数の噴霧口１２１は、筒状の円周面の下流側に放射状に配設されるが、噴霧口１２１の穿孔方向は、スプレイチューブ１００の円周の中心に向かう。
【００１９】
さらに、好ましくは、多孔性オリフィス１２０の多数の噴霧口１２１の直径は、下部から上部に進むにつれて大きくなる。
【００２０】
さらに、好ましくは、本発明の他の実施形態による過熱低減装置は、スプレイチューブ１００の内部に配設され、スプレイチューブ１００の直径よりも小さな直径を有するとともに、末端が開放された開閉調節チューブ１０１をさらに有し、開閉調節チューブ１０１の外周面が、スプレイチューブ１００の内周面と接触され、スプレイチューブ１００の噴霧口１２１と対応する多数の噴霧口１２２を有し、開閉調節チューブ１０１が回転手段によって、円周の中心軸を中心に回転されることにより、スプレイチューブ１００の噴霧口１２１の開閉度が調節される。
【００２１】
さらに、上述した課題を解決するために、本発明の一実施形態による過熱低減方法は、過熱された蒸気が過熱低減装置蒸気流入部ｄから過熱低減チューブ３００内に流入する蒸気流入ステップと、過熱低減チューブ３００の内部を通って蒸気が移動される蒸気移動ステップと、スプレイチューブ１００の内部に水が給水される給水ステップと、スプレイチューブ１００を介して運ばれてきた水がオリフィス１１０を介して噴射される噴霧ステップと、過熱された蒸気と噴射された水とが過熱低減チューブ３００の内部において混合される混合ステップと、蒸気排出部ａを介して過熱の低減された蒸気を排出する排出ステップと、を含む。
【００２２】
好ましくは、噴霧ステップにおけるオリフィス１１０は、少なくとも一つ以上の多孔性オリフィス１２０を含む。
【００２３】
また、好ましくは、混合ステップにおいては、スプレイチューブ１００よりも下流側の過熱低減チューブ３００に設けられたベンチュリ部において、過熱された蒸気と多孔性オリフィス１２０から噴射された水とが一緒に加速されて混合速度が増加する。
【００２４】
さらに、好ましくは、蒸気移動ステップにおいて過熱された蒸気は、蒸気流入部ｄとスプレイチューブ１００との間の配設されたスプレイチューブ１００の内部に形成された突起２５０またはベーン２４０を通過しながら渦流が形成される。
【発明の効果】
【００２５】
本発明の一実施形態による過熱低減装置は、ベンチュリ部を設けることにより、ベンチュリ管の首部２２０を通過するときにベルヌーイの定理によって過熱蒸気の速度が約４倍増加して、噴霧された水と過熱蒸気との混合速度が増加して過熱蒸気の減温効果が向上するという効果がある。
【００２６】
また、多数の噴霧口に水が噴霧される多孔性オリフィスを設けて水と過熱蒸気との接触表面を増やすことにより、水と過熱蒸気との混合作用が促されるという効果がある。
【００２７】
また、過熱低減チューブ３００内において均一に混合作用が起こることにより、過熱低減チューブ３００内において温度を測定するときに位置による測定温度の誤差を低減して、過熱低減チューブ３００内の温度を正確に測定でき、これにより、後続して流入する水の量が正確に決定されるという効果がある。
【００２８】
さらに、過熱蒸気の蒸発速度が増加して、気化できずに過熱低減チューブ３００内に沈降する液滴の量を減らしてスプレイチューブ１００への流入が求められる水の量が顕著に低減されるという効果がある。
【００２９】
加えて、気化の遅延による液滴に起因する部分的な摩耗やショックなどを防いで、ブローダウン水撃などが予防されるという効果がある。
【００３０】
最後に、過熱蒸気と水との混合過程が起こる管内の長さが顕著に短縮されることにより過熱低減装置が全体的に小型化される結果、空間活用性が高くなるという効果がある。
【図面の簡単な説明】
【００３１】
【図１】従来の水噴霧型過熱低減装置を示す断面図である。
【図２】本発明の一実施形態による過熱低減装置の主な構成を示す要部断面図である。
【図３】本発明の一実施形態による過熱低減装置のスプレイチューブおよび過熱低減チューブを示す断面図である。
【図４】本発明の一実施形態による過熱低減装置のスプレイチューブおよび過熱低減チューブを示す断面図である。
【図５】本発明の一実施形態による過熱低減装置の過熱低減チューブの内部に形成されたベーンを示す図である。
【図６】本発明の一実施形態による過熱低減装置の過熱低減チューブの内部に形成された突起を示す断面図である。
【図７】本発明の一実施形態による過熱低減装置に適用された多孔性オリフィスおよびその噴霧面を示す抜粋図である。
【図８】本発明の一実施形態による過熱低減装置に適用された多孔性オリフィスの噴霧口の円周方向の配列および穿孔方向を示す断面図である。
【図９】本発明の一実施形態による過熱低減装置に適用された噴霧口直径調節手段を示す断面図である。
【発明を実施するための形態】
【００３２】
以下、添付図面に基づき、本発明による水噴霧型過熱低減装置について詳細に説明する。
【００３３】
図２は、本発明の一実施形態による過熱低減装置の主な構成を示す要部断面図であり、図３および図４は、本発明の一実施形態による過熱低減装置のスプレイチューブ１００および過熱低減チューブ３００を示す断面図である。
【００３４】
図２から図４に示すように、過熱低減チューブ３００は、内側が中空であり、その空間に過熱された蒸気が運ばれる。過熱蒸気が進行する方向を基準として、蒸気排出部ａ側を下流側とし、蒸気流入部ｄ側を上流側とする。
【００３５】
過熱低減チューブ３００の一端は、他の配管から過熱蒸気が流入する蒸気流入部ｄであり、他端は、空気が排出される蒸気排出部ａである。両端は、他の配管などに締め付け易いように構成される。
【００３６】
過熱低減チューブ３００の上部から下方に向かって垂直にスプレイチューブ１００の一端が過熱低減チューブ３００の内部に位置するように嵌まり込む。このとき、あまりにも嵌まりが深すぎると、蒸気の流れが妨げられ、あまりにも嵌まりが浅すぎると、水の上部への噴霧効果が減るため、噴霧手段が過熱低減チューブ３００の垂直断面における中央に位置するように嵌まり込められることが好ましい。
【００３７】
過熱低減チューブ３００の内部には、嵌まり込んだスプレイチューブ１００を基準として下流側に蒸気加速化のためのベンチュリ部が配設される。図２に示すように、ベンチュリ部は過熱低減チューブ３００の内部にスリーブ２００状に設けられ、スリーブ２００の中間部の一部流路が狭くなるベンチュリ状を有する。スリーブ２００の一部にベンチュリ部が形成されたことだけではなく、過熱低減チューブ３００の内部にベンチュリ状の流路が形成されてもよい。なお、ベンチュリ部は、ベンチュリ入口部２１０、首部２２０およびベンチュリ出口部２３０を有する。例えば、ベンチュリ入口部２１０の断面の直径は、上流側から下流側にかけて徐々に小さくなる。また、ベンチュリ出口部２３０の断面の直径は、上流側から下流側にかけて徐々に大きくなる。首部２２０の断面の直径は、ベンチュリ入口部２１０及びベンチュリ出口部２３０よりも小さい。さらに、ベンチュリ出口部２３０の長さは、ベンチュリ入口部２１０の長さよりも長くてよい。
【００３８】
ベンチュリ部の首部２２０は、図２のｂより下流側に位置する直管部に比べて、その直径が小さいため、過熱蒸気の流速が増加し、究極的に噴霧水を微粒化させるとともに低温の噴霧水の蒸発を加速させて蒸気との混合作用を活発にする。
【００３９】
一方、スリーブ２００は、実施形態に応じて、ベンチュリ状またはリニア状の２種類が考えられる。すなわち、ベンチュリ状のスリーブ２００だけではなく、リニア状のスリーブ２００に後述するスプレイチューブ１００とその下位の構成要素を含める実施形態も考えられる。
【００４０】
図５および図６に示すように、蒸気流入部ｄとスプレイチューブ１００との間の空間（図２を基準としてｃとｄとの間の空間）の過熱低減チューブ３００の内壁またはスリーブ２００の内壁には、運ばれてきた過熱蒸気が渦流を形成して、後続する噴霧水との混合作用をより一層活発にするように突起２５０またはベーン２４０が配設されることが好ましい。
【００４１】
一方、スプレイチューブ１００は、上端には冷却水供給管が接続され、下端は閉鎖された筒状であることが好ましい。スプレイチューブ１００の下端の形状に制限はなく、平らであってもよく、半円球状であってもよい。
【００４２】
スプレイチューブ１００は、図３および図４に示すように、下端の隣に配設され、過熱低減チューブ３００の内部に水を噴霧する噴霧手段を有する。噴霧手段としては、従来のスプレイチューブ１００においてはスプレイノズルを主として採用したが、本発明においては、図３に示すように、オリフィス１１０を設けることが考えられる。
【００４３】
また、混合作用をより一層促すために、噴霧手段は、図４に示すように、多数の噴霧口１２１付き多孔性オリフィス１２０を有することが考えられる。多孔性オリフィス１２０を介して水が噴霧されるとき、水と蒸気とが接触する表面積がさらに大きく、より均一に水が噴射されるので、水と蒸気との混合作用が促進される。
【００４４】
一方、図７に示すように、多孔性オリフィス１２０は、多数の噴霧口１２１を含む。多数の噴霧口１２１は、スプレイチューブ１００の円周面の所定の面積に亘って均一に分布する。所定の面積を噴霧面とし、図７に点線にて示す。
【００４５】
噴霧面は複数設けられ、その配置形状に制限はないが、スプレイチューブ１００の円周面の平面展開図において、円形状や四角形状に配置されることが好ましい。
【００４６】
噴霧手段は、少なくとも一つ以上の多孔性オリフィス１２０を有する。一つ以上の多孔性オリフィス１２０は種々に配設可能であるが、曲げモーメントを最小化させるように、図４に示すように、過熱低減チューブ３００内に嵌まり込んだスプレイチューブ１００の嵌込部分を基準として上下方向に離間して配設されることが好ましい。
【００４７】
スプレイチューブ１００の垂直断面を見ると、図８に示すように、噴霧口１２１は、スプレイチューブ１００の円周面の下流側に放射状に穿孔されており、穿孔方向は、円周の中心に向かうことを特徴とする。放射状に穿孔することにより、直線状に穿孔するときよりも広い空間に水を噴霧することができる。図８において、θは０°以上９０°以下であることが好ましい。
【００４８】
また、円周面の前面、すなわち、下流側の半円周面の全体に亘って放射状に穿孔してもよく、一部のみを穿孔してもよい。
【００４９】
多孔性オリフィス１２０の多数の噴霧口１２１は、図７に示すように、下部から上部に進むにつれて噴霧口１２１の直径が大きくなることが好ましい。一つの多孔性オリフィス１２０内だけではなく、複数のオリフィスが上下に存在するとき、複数の多孔性オリフィス１２０の全体をみても、上部に進むにつれて噴霧口１２１の直径が大きくなることが好ましい。
【００５０】
これは、上部に配設された噴霧口１２１の場合、下部に配設された噴霧口１２１に比べて、噴霧水が過熱低減チューブ３００内部において移動するに当たって、重力の影響を考慮すると、周りの過熱蒸気との熱交換が行われる移動時間および移動距離が増加するためである。一般に、噴霧水の粒子が大きい場合、減温効率は高いが、混合効率が低いという問題があるが、本発明の場合、噴霧口１２１の直径を上部に進むにつれて大きくすることにより、減温効率および混合効率を両方とも高めることができる。
【００５１】
また、噴霧口１２１の直径を調節する噴霧口直径調節手段を設けることが好ましい。噴霧口直径調節手段は、各噴霧口１２１の直径を調節することにより、過熱蒸気の温度に適した運転が行われる。
【００５２】
過熱蒸気の温度が非常に高い場合、噴霧口１２１の直径を大きくすることにより、噴霧量および噴霧水の粒子径を増やすことができる。一般に、噴霧口１２１の直径が制限される場合には、噴霧圧力を高めて噴霧量をやや増やすことができるが、噴霧水の粒子径を増大させることには限界があるため、結果的に、噴霧量の増大にも限界がある。
【００５３】
逆に、過熱蒸気の温度が高くない場合、噴霧口１２１の直径を小さくすることにより噴霧量を減らすとともに、噴霧水の粒子径を縮小することができる。過熱蒸気の温度が高くない場合には、混合効率が高くないため、噴霧量を減らしても液滴の発生する可能性が高い。本発明では、噴霧水の粒子径を小さくすることにより、混合効率を高めて液滴の発生による問題点を防ぐことができる。
【００５４】
噴霧口直径調節手段の実施形態として、図９に示すように、スプレイチューブ１００の内部に配設され、スプレイチューブ１００よりも小さい直径を有するとともに、末端が開放された開閉調節チューブ１０１をさらに有することが考えられる。
【００５５】
開閉調節チューブ１０１は、スプレイチューブ１００と接触し、スプレイチューブ１００の噴霧口１２１と同じ形状の噴霧口１２２を円周面に有する。
【００５６】
開閉調節チューブ１０１が回転手段によって回転されることにより、スプレイチューブ１００の噴霧口１２１の開閉度を調節することができる。
【００５７】
開閉度は、スプレイチューブ１００の噴霧口１２１と開閉調節チューブ１０１の噴霧口１２２とが完全に重なり合ったときに最大であり、スプレイチューブ１００の噴霧口１２１と開閉調節チューブ１０１の噴霧口１２２とが完全にずれているときに最小である。
【００５８】
また、開閉調節チューブ１０１の上端は弁またはアクチュエータなどの回転手段に接続されて回転度が制御される。
【００５９】
本発明の好適な実施形態を説明するために用いられた位置関係は、添付図面を中心として説明されたものであり、実施態様に応じてその位置関係が変わってくる。
【００６０】
また、別途に断りのない限り、技術的または科学的な用語をはじめとして本発明において用いられる全ての用語は、本発明が属する技術分野において通常の知識を有する者によって一般的に理解されるものと同じ意味を有しているといえる。なお、本願において明らかに定義しない限り、理想的または過度に形式的な意味として解釈されてはならない。
【００６１】
以上、本発明の好適な実施形態を挙げて説明したが、実施形態はもちろん、本発明に既存の公知の技術を単に組み合わせたり、本発明を単に変形したりした実施形態もまた当然のことながら本発明の権利範囲に属するものであると認められる。
【符号の説明】
【００６２】
１００：スプレイチューブ
１０１：開閉調節チューブ
１１０：オリフィス
１２０：多孔性オリフィス
１２１：噴霧口
２００：スリーブ
２１０：ベンチュリ入口部
２２０：首部
２３０：ベンチュリ出口部
２４０：ベーン
２５０：突起
３００：過熱低減チューブ
【図１】
2015190757.tif 000003
【図２】
2015190757.tif 000004
【図３】
2015190757.tif 000005
【図４】
2015190757.tif 000006
【図５】
2015190757.tif 000007
【図６】
2015190757.tif 000008
【図７】
2015190757.tif 000009
【図８】
2015190757.tif 000010
【図９】
2015190757.tif 000011